(57)【要約】【課題】筐体の開口部に対するカバーの閉塞方向が鉛直方向と直交する電気接続箱において、内部空間部に液体が浸入した場合に、液体の滴下を抑制することができる電気接続箱およびワイヤハーネスを提供すること。【解決手段】電気接続箱１は、筐体４の内部空間部４Ａを第１収容領域４Ａ１と第２収容領域４Ａ２に区画するリブ５３と、集水部５４と、水路部５５とを備える。水路部５５は、リブ本体部５３ａと水路壁５３ｂ、５３ｃにより形成され、上方向側端部が集水部５４と連通し、下方向側端部が筐体外部と連通する。水路壁５３ｂ、５３ｃは、集水部５４の案内壁５４ｂ、５４ｃとそれぞれ連結し、かつ連結箇所に向かって下方向に傾斜を有する。案内壁５４ｂ、５４ｃは、鉛直方向視において上方向側端部境界Ｒｕと重なるとともに、第１収容領域４Ａ１および第２収容領域４Ａ２の上方向側に配置される。【選択図】図２
2018064352.tif 000002
【特許請求の範囲】
【請求項１】
内部空間部と連通するカバー側開口部を有する筐体と、
前記内部空間部に収容される複数の電子部品と、
前記カバー側開口部を閉塞するカバーと、
を備え、
前記筐体は、前記カバーの前記カバー側開口部に対する閉塞方向が鉛直方向と直交する方向となるように設置対象物に設置されるものであり、
前記内部空間部は、前記鉛直方向および前記閉塞方向と直交する幅方向において、鉛直方向に延在して形成されるリブにより、第１収容領域および第２収容領域とに区画され、
前記リブは、前記閉塞方向と反対方向である解放方向側に延在し、かつ、前記幅方向に対向した水路壁により水路部が形成され、
前記水路部は、前記鉛直方向における両端部のうち、上方向側端部が集水部と連通し、下方向側端部が前記筐体外部と連通し、
前記集水部は、前記鉛直方向視において、前記筐体と前記カバーとの境界のうち、上方向側の端部に位置する境界である上方向側端部境界と重なるとともに、前記第１収容領域および第２収容領域の上方向側に配置され、かつ前記水路壁とそれぞれ連結される案内壁を有する、
ことを特徴とする電気接続箱。
【請求項２】
請求項１に記載の電気接続箱において、
前記上方向側端部境界よりも前記鉛直方向のうち上方向側に配置され、前記鉛直方向視において、前記上方向側端部境界と少なくとも一部が重なる遮水部材を備える、
電気接続箱。
【請求項３】
請求項２に記載の電気接続箱において、
前記遮水部材は、前記鉛直方向のうち上方向側端面が、閉塞方向側端部から解放方向側端部に向かって下方側に向かって傾斜する傾斜面である、
電気接続箱。
【請求項４】
請求項３に記載の電気接続箱において、
前記筐体は、前記遮水部材の閉塞方向側から、前記遮水部材よりも、前記上方向側に延在する延在部を有し、
前記延在部は、前記鉛直方向視において、少なくとも前記遮水部材の前記閉塞方向側端部と重なる端部遮水部が前記解放方向に突出して形成されている、
電気接続箱。
【請求項５】
電線と、
内部空間部と連通するカバー側開口部を有する筐体と、前記内部空間部に収容される複数の電子部品と、前記カバー側開口部を閉塞するカバーと、を備える電気接続箱と、
を備え、
前記筐体は、前記カバーの前記カバー側開口部に対する閉塞方向が鉛直方向と直交する方向となるように設置対象物に設置されるものであり、
前記内部空間部は、前記鉛直方向および前記閉塞方向と直交する幅方向において、鉛直方向に延在して形成されるリブにより、第１収容領域および第２収容領域とに区画され、
前記リブは、前記閉塞方向と反対方向である解放方向側に延在し、かつ、前記幅方向に対向した水路壁により水路部が形成され、
前記水路部は、前記鉛直方向における両端部のうち、上方向側端部が集水部と連通し、下方向側端部が前記筐体外部と連通し、
前記集水部は、前記鉛直方向視において、前記筐体と前記カバーとの境界のうち、上方向側の端部に位置する境界である上方向側端部境界と重なるとともに、前記第１収容領域および第２収容領域の上方向側に配置され、かつ前記水路壁とそれぞれ連結される案内壁を有する、
ことを特徴とするワイヤハーネス。
【発明の詳細な説明】
【技術分野】
【０００１】
本発明は、電気接続箱およびワイヤハーネスに関する。
【背景技術】
【０００２】
複数の電子部品を収容する内部空間部および開口部を有する筐体と、筐体の開口部を塞ぐカバーとから構成される電気接続箱において、筐体とカバーとの境界は、筐体の開口部に対するカバーの閉塞方向回りに一周して形成される。上記の電気接続箱は、一般的に、筐体の開口部に対するカバーの閉塞方向が鉛直方向となるように設置対象物に設置される。
【０００３】
一方、閉塞方向が鉛直方向と直交する方向となるように設置対象物に設置される電気接続箱がある。閉塞方向が鉛直方向と直交する方向である電気接続箱は、筐体とカバーとの境界のうち、上方向側の端部に位置する部分が電気接続箱の上方向側の端面に形成されることとなる。
【先行技術文献】
【特許文献】
【０００４】
【特許文献１】特開２０１５−１１５９７２号公報
【特許文献２】特開２０１３−１４６１２５号公報
【発明の概要】
【発明が解決しようとする課題】
【０００５】
筐体とカバーとから構成される電気接続箱において、電気接続箱の外側面に液体が付着する場合がある。閉塞方向が鉛直方向と直交する方向である電気接続箱においては、電気接続箱の外側面のうち上方向側の端面に液体が付着した場合、鉛直方向が閉塞方向である電気接続箱と比較して、付着した液体が筐体とカバーとの境界のうち電気接続箱の上方向側の端面に形成された部分から内部空間部に浸入する虞がある。内部空間部に浸入した液体は、上記境界から内部空間部を鉛直下方向側に滴下する。
【０００６】
ところで、閉塞方向が鉛直方向と直交する方向である電気接続箱は、内部空間部において、電気接続箱の上方向側の端部に形成された境界に対し、下方向側に電子部品が配置されることとなる。したがって、鉛直方向と直交する方向が閉塞方向である電気接続箱においては、液体が内部空間部に浸入した場合の電子部品に対する対策が必要となる。
【０００７】
本発明は上記に鑑みてなされたものであり、筐体の開口部に対するカバーの閉塞方向が鉛直方向と直交する電気接続箱において、内部空間部に液体が浸入した場合に、液体の滴下を抑制することができる電気接続箱およびワイヤハーネスを提供することを目的とする。
【課題を解決するための手段】
【０００８】
上記目的を達成する為、本発明に係る電気接続箱は、内部空間部と連通するカバー側開口部を有する筐体と、前記内部空間部に収容される複数の電子部品と、前記カバー側開口部を閉塞するカバーと、を備え、前記筐体は、前記カバーの前記カバー側開口部に対する閉塞方向が鉛直方向と直交する方向となるように設置対象物に設置されるものであり、前記内部空間部は、前記鉛直方向および前記閉塞方向と直交する幅方向において、鉛直方向に延在して形成されるリブにより、第１収容領域および第２収容領域とに区画され、前記リブは、前記閉塞方向と反対方向である解放方向側に延在し、かつ、前記幅方向に対向した水路壁により水路部が形成され、前記水路部は、前記鉛直方向における両端部のうち、上方向側端部が集水部と連通し、下方向側端部が前記筐体外部と連通し、前記集水部は、前記鉛直方向視において、前記筐体と前記カバーとの境界のうち、上方向側の端部に位置する境界である上方向側端部境界と重なるとともに、前記第１収容領域および第２収容領域の上方向側に配置され、かつ前記水路壁とそれぞれ連結される案内壁を有することを特徴とする。
【０００９】
また、前記電気接続箱は、前記上方向側端部境界よりも前記鉛直方向のうち上方向側に配置され、前記鉛直方向視において、前記上方向側端部境界と少なくとも一部が重なる遮水部材を備えることが好ましい。
【００１０】
また、前記遮水部材は、前記鉛直方向のうち上方向側端面が、閉塞方向側端部から解放方向側端部に向かって下方側に向かって傾斜する傾斜面であることが好ましい。
【００１１】
また、前記筐体は、前記遮水部材の閉塞方向側から、前記遮水部材よりも、前記上方向側に延在する延在部を有し、前記延在部は、前記鉛直方向視において、少なくとも前記遮水部材の前記閉塞方向側端部と重なる端部遮水部が前記解放方向に突出して形成されていることが好ましい。
【００１２】
また、上記目的を達成するため、本発明に係るワイヤハーネスは、電線と、内部空間部と連通するカバー側開口部を有する筐体と、前記内部空間部に収容される複数の電子部品と、前記カバー側開口部を閉塞するカバーと、を備える電気接続箱と、を備え、前記筐体は、前記カバーの前記カバー側開口部に対する閉塞方向が鉛直方向と直交する方向となるように設置対象物に設置されるものであり、前記内部空間部は、前記鉛直方向および前記閉塞方向と直交する幅方向において、鉛直方向に延在して形成されるリブにより、第１収容領域および第２収容領域とに区画され、前記リブは、前記閉塞方向と反対方向である解放方向側に延在し、かつ、前記幅方向に対向した水路壁により水路部が形成され、前記水路部は、前記鉛直方向における両端部のうち、上方向側端部が集水部と連通し、下方向側端部が前記筐体外部と連通し、前記集水部は、前記鉛直方向視において、前記筐体と前記カバーとの境界のうち、上方向側の端部に位置する境界である上方向側端部境界と重なるとともに、前記第１収容領域および第２収容領域の上方向側に配置され、かつ前記水路壁とそれぞれ連結される案内壁を有する、ことを特徴とする。
【発明の効果】
【００１３】
本発明に係る電気接続箱およびワイヤハーネスは、筐体とカバーとの上方向側端部境界から内部空間部に浸入した液体を集水部により集められ、水路部に案内され、水路部に案内された液体を水路部に沿って鉛直下方向に案内して、筐体とカバーとの境界の下方向側から電気接続箱の外部に排出することができるので、内部空間部に浸入した液体を電子部品を避けて筐体の外部に排出することができる。
【図面の簡単な説明】
【００１４】
【図１】図１は、実施形態１に係る電気接続箱およびワイヤハーネスの斜視図である。
【図２】図２は、実施形態１に係る電気接続箱の分解斜視図である。
【図３】図３は、実施形態１に係る電気接続箱からカバーを取り外した図である。
【図４】図４は、実施形態１に係る電気接続箱の部分断面図である。
【図５】図５は、実施形態２に係る電気接続箱の部分斜視図である。
【図６】図６は、実施形態２に係る電気接続箱の部分断面図である。
【図７】図７は、実施形態２に係る電気接続箱の部分断面図である。
【図８】図８は、変形例に係る電気接続箱の部分斜視図である。
【発明を実施するための形態】
【００１５】
以下に、本発明に係る電気接続箱およびワイヤハーネスの実施形態を図面に基づいて詳細に説明する。なお、この実施形態によりこの発明が限定されるものではない。また、下記の実施形態における構成要素には、当業者が容易に想定できるもの、あるいは実質的に同一のものが含まれる。また、下記の実施形態における構成要素は、発明の要旨を逸脱しない範囲で、種々の省略、置き換え、変更を行うことができる。
【００１６】
［実施形態１］
まず、実施形態１に係る電気接続箱およびワイヤハーネスについて説明する。図１は、実施形態１に係る電気接続箱およびワイヤハーネスの斜視図である。図２は、実施形態１に係る電気接続箱の分解斜視図である。図３は、実施形態１に係る電気接続箱からカバーを取り外した図である。図４は、実施形態１に係る電気接続箱の部分断面図である。ここで、各図のＸ方向は、電気接続箱の幅方向である。各図のＹ方向は、Ｘ方向と直交する方向であり、電気接続箱の奥行方向である。Ｙ１方向は、カバーの筐体開口部に対する閉塞方向である。Ｙ２方向は、カバーの筐体開口部に対する解放方向である。Ｚ方向は、Ｘ方向およびＹ方向と直交する方向であり、電気接続箱の上下方向である。本実施形態においては、鉛直方向が電気接続箱の上下方向である。Ｚ１方向は上方向である。Ｚ２方向は下方向である。
【００１７】
電気接続箱１は、図１に示すように、車両に搭載され、自動車に配索されるワイヤハーネス１００に組み込まれ、電線１０１等の接続処理用部品を構成するコネクタ、ヒューズ、リレー、電子制御ユニット等の電装品などの種々の電子部品モジュールを集約して内部に収容するものである。電気接続箱１は、ジャンクションボックス、ヒューズボックス、リレーボックスなどとも呼ばれる場合があるが、本実施形態においては、それらを総称して電気接続箱と呼ぶ。電気接続箱１は、カバー２と、複数の電子部品３と、筐体４とを備える。筐体４は、筐体本体５と筐体カバー６とを備える。
【００１８】
電気接続箱１は、図１および図２に示すように、後述の内部空間部４Ａ、すなわち筐体本体５の内部に、電子部品３および電子部品ケース３０により構成される電子部品ブロック３００が挿入され、筐体本体５の内周面と電子部品ケース３０の外周面とにそれぞれ形成された係止部により、電子部品ブロック３００が筐体本体５に係止される。さらに、電子部品３を収容した筐体本体５に対し、カバー２が筐体４の後述のカバー側開口部５１ａを閉塞方向から閉塞し、筐体カバー６が筐体４の後述の筐体カバー側開口部５１ｂを解放方向から閉塞する。カバー２および筐体カバー６は、それぞれ外周面に係止爪部ｎ１、ｎ２が設けられており、筐体本体５の外周面に設けられた係止受け部ｐと嵌合することにより、筐体本体５に対して係止され、電気接続箱１が組み立てられる。
【００１９】
ここで、電気接続箱１は、筐体４とカバー２との境界Ｒが形成される。境界Ｒは、筐体４をカバー２が閉塞したときにおける、筐体４とカバー２とが対向する端部、すなわち筐体４とカバー２との接合部である。本実施形態において、境界Ｒは、筐体４の外周壁の外周面とカバー２の外周壁の内周面とが、閉塞方向に対して直交する方向に対向して形成されている。したがって、境界Ｒは、図１に示すように、閉塞方向を軸とした場合において周方向に沿って一周して形成されることとなる。境界Ｒは、上方向側の端部に位置する上方向側端部境界Ｒｕ（図１における点線で囲われた領域）と、下方向側の端部に位置する下方向側端部境界Ｒｄとを有する。上方向側端部境界Ｒｕと、下方向側端部境界Ｒｄは、それぞれ幅方向に沿って延在し、鉛直方向に対して対向する。
【００２０】
カバー２は、図１および図２に示すように、筐体本体５のカバー側開口部５１ａを閉塞方向から閉塞するものである。カバー２は、開口部２１を有するトレイ（皿）形状に形成される。カバー２は、筐体本体５に取り付けられた際、閉塞方向を軸とした場合において周方向に位置する外周壁２２が、筐体本体５の外周壁５２よりも外側に位置するように形成される。カバー２は、外周壁２２の外周面に複数の係止爪部ｎ１が形成される。
【００２１】
電子部品３は、図２に示すように、合成樹脂などによって形成された電子部品ケース３０に収容された状態で、内部空間部４Ａに収容される。電子部品ケース３０は、複数の区画壁が形成されており、区画壁によって電子部品３はそれぞれ個々に収容される。電子部品３は、電子部品ケース３０に収容されることで、複数の電子部品３が１つの集合体として電子部品ブロック３００を構成する。本実施形態においては、電子部品ブロック３００は２つ形成され、一方の電子部品ブロック３００Ａが後述の第１収容領域４Ａ１、他方の電子部品ブロック３００Ｂが後述の第２収容領域４Ａ２にそれぞれ収容される。電子部品３は、内部空間部４Ａに収容された際、カバー２側に電子部品３の本体部３１が位置し、筐体カバー６側に電子部品３と接続された不図示の電線が位置するように、配置される。
【００２２】
筐体４は、合成樹脂などで形成され、筐体本体５と筐体カバー６とにより、内部空間部４Ａを有する箱型形状に形成される。筐体４は、図２に示すように、内部空間部４Ａに複数の電子部品３、つまり電子部品ブロック３００を収容するものである。筐体４は、カバー２の後述のカバー側開口部５１ａに対する閉塞方向が鉛直方向と直交する方向となるように設置対象物に設置される。本実施形態における電気接続箱１は、設置対象物がある空間部において、従来のような筐体に対するカバーの閉塞方向が鉛直方向であり幅方向に長さを有する電気接続箱を設置するスペースが無く、鉛直方向に電気接続箱を配置するスペースを許容する場所、例えばラゲッジルームに設置される。本実施形態においては、電気接続箱１は、不図示のラゲッジルームの底板に設置される。
【００２３】
内部空間部４Ａは、筐体本体５を筐体カバー６が閉塞することで形成される。内部空間部４Ａは、閉塞方向視において、後述のリブ５３により、幅方向に２つの領域、すなわち第１収容領域４Ａ１および第２収容領域４Ａ２に区画される。第１収容領域４Ａ１および第２収容領域４Ａ２は、閉塞方向視において、リブ５３と、後述の集水部本体５４ａと、筐体本体５の外周壁５２とにより構成されることとなる。
【００２４】
筐体本体５は、内部空間部４Ａと連通するカバー側開口部５１ａを有する。筐体本体５は、カバー側開口部５１ａと閉塞方向に対向し、内部空間部４Ａと連通する筐体カバー側開口部５１ｂを有する。つまり、筐体本体５は、閉塞方向視において、外周壁５２により矩形形状の枠状に形成される。筐体本体５の外周壁５２のうち、上方向側端部外周面５２ａは、筐体本体５の閉塞方向側端部から解放方向側端部に向かって、下方向側に向かって傾斜する傾斜面である。筐体本体５は、外周壁５２の外周面に、カバー２および筐体カバー６の係止爪部ｎ１、ｎ２と嵌合する複数の係止受け部ｐを備える。筐体本体５は、リブ５３と、集水部５４とを備える。
【００２５】
リブ５３は、内部空間部４Ａを第１収容領域４Ａ１と第２収容領域４Ａ２とに区画するものである。リブ５３は、筐体本体５の幅方向における中心部に形成される。リブ５３は、上方向側に形成された集水部５４から、筐体本体５の外周壁５２のうち下方向側端部に位置する外周壁５２の内周面、すなわち下方向側端部内周面５２ｂまで、鉛直方向に延在して形成される。リブ５３は、リブ本体部５３ａと、水路壁５３ｂ、５３ｃとを有する。
【００２６】
リブ本体部５３ａは、幅方向視において、閉塞方向に向かって延在して形成される。水路壁５３ｂ、５３ｃは、リブ本体部５３ａのうち解放方向側、すなわちカバー２側の端面５３ｄの幅方向における両端部から突出し、解放方向に向かって延在して形成される。したがって、一対の水路壁５３ｂ、５３ｃは、幅方向において対向する。水路壁５３ｂ、５３ｃは、幅方向視において、少なくとも筐体本体５の外周壁５２よりも解放方向側に突出し、内部空間部４Ａに収容した電子部品３と鉛直方向に沿って同一面上に位置するように解放方向側に延在して形成される。水路壁５３ｂ、５３ｃの下方向側端部は、筐体本体５の下方向側端部内周面５２ｂに連結する。
【００２７】
水路壁５３ｂ、５３ｃにおいて、互いに対向する対向面５３ｅ、５３ｆは、リブ本体部５３ａの端面５３ｄとそれぞれ連結する。つまり、水路部５５は、リブ本体部５３ａおよび水路壁３５ｂ、５３ｃにより、すなわち、リブ本体部５３ａの端面５３ｄと、水路壁５３ｂ、５３ｃの対向面５３ｅ、５３ｆとにより構成される。また、筐体本体５にカバー２が取り付けられた際には、水路部５５は、カバー２の外周壁のうち閉塞方向側端部の内周面と、端面５３ｄと、一対の対向面５３ｅ、５３ｆとによって構成される。水路部５５は、筐体４とカバー２との境界Ｒから内部空間部４Ａに侵入した液体を鉛直方向のうち下方向に案内するものである。水路部５５は、図２および図３に示すように、鉛直方向における両端部のうち、上方向側端部が集水部５４と連通し、下方向側端部が下方向側端部境界Ｒｄを介して筐体４の外部空間と連通する。
【００２８】
集水部５４は、筐体４とカバー２との境界Ｒ、すなわち上方向側端部境界Ｒｕから内部空間部４Ａに浸入した液体を集め、水路部５５に案内するものである。集水部５４は、図３および図４に示すように、集水部本体５４ａと、複数の案内壁５４ｂ、５４ｃとを有する。集水部本体５４ａは、閉塞方向視において、筐体本体５の外周壁５２において上方向端部に位置する外周壁５２の内周面と、筐体本体５の外周壁５２において幅方向における両端部に位置する外周壁５２の一部の内周面とに連結する。また、集水部本体５４ａの下方向側端部は、幅方向にリブ５３を挟んで、第１収容領域４Ａ１と第２収容領域４Ａ２の上方向側の一部を構成する。集水部本体５４ａの解放方向側、すなわちカバー２側の端面５４ｄは、リブ本体部５３ａの端面５３ｄと連結する。ここで、端面５４ｄと端面５３ｄとは、閉塞方向と直交する同一平面上に位置するように連結される。したがって、集水部５４と水路部５５は、連続して形成されていることとなる。
【００２９】
案内壁５４ｂ、５４ｃは、集水部本体５４ａの端面５４ｄから突出し、解放方向に延在して形成される。案内壁５４ｂ、５４ｃは、鉛直方向視において、上方向側端部境界Ｒｕと重なる。案内壁５４ｂ、５４ｃは、閉塞方向視において、案内壁５４ｂが第１収容領域４Ａ１の上方向側に配置され、案内壁５４ｃが第２収容領域４Ａ２側の上方向側に配置される。案内壁５４ｂは、図３に示すように、幅方向における両端部のうち、一方の端部が筐体本体５の外周壁５２のうち幅方向に対向する一方の外周壁と連結する。案内壁５４ｂにおいて、他方の端部は、水路壁５３ｂと連結する。すなわち、案内壁５４ｂの上方向側の端面５４ｅは、水路壁５３ｂの対向面５３ｅと連結する。案内壁５４ｃは、幅方向における両端部のうち、一方の端部が筐体本体５の外周壁５２のうち幅方向に対向する他方の外周壁と連結する。案内壁５４ｃにおいて、他方の端部は、水路壁５３ｃと連結する。すなわち、案内壁５９ｂの上方向側の端面５４ｆは、水路壁５３ｃの対向面５３ｆと連結する。案内壁５４ｂ、５４ｃは、閉塞方向視において、それぞれ一方の端部から他方の端部に向かって、言い換えると、それぞれ水路壁５３ｂ、５３ｃとの連結箇所に向かって、下方向側に傾斜するように形成される。
【００３０】
筐体カバー６は、筐体本体５の筐体カバー側開口部５１ｂを解放方向から閉塞する。筐体カバー６は、開口部６１を有する箱型形状に形成される。筐体カバー６は、上方向側の端部において、筐体カバー６、すなわち電気接続箱１をラゲッジルームの底板に取り付けるための取付け部６２を有する。取付け部６２には、取付けのためのボルトなどの締結部材を通すための取り付け孔６２ａが形成される。筐体カバー６は、筐体本体５に取り付けられた際、奥行方向を軸とした場合に周方向に位置する外周壁６３が、筐体本体５の外周壁５２よりも内側に位置するように形成される。筐体カバー６は、外周壁６３の外周面に筐体本体５の係止受け部ｐと嵌合する複数の係止爪部ｎ２が形成される。
【００３１】
次に、本実施形態１に係る電気接続箱１に対して外部から液体がかかった場合の液体の流れについて、説明する。まず、液体が電気接続箱１の上方向側端部、つまり筐体本体５の外周壁５２のうち上方向側端部外周面５２ａにかかった場合、液体は、傾斜面である上方向側端部外周面５２ａの傾斜により解放方向側に案内され、カバー２の解放方向側の端部から、電気接続箱１の外部を下方向に滴下する。
【００３２】
次に、筐体本体５の上方向側端部外周面５２ａに付着した液体が、筐体４とカバー２の上方向側端部境界Ｒｕから内部空間部４Ａに浸入した場合における液体の流れについて、図３および図４を用いて一例を説明する。上方向側端部境界Ｒｕにおいて、カバー２の外周壁２２の内周面と筐体本体５の外周壁５２の外周面との間を通過し、内部空間部４Ａに浸入した液体は、鉛直方向のうち下方向に向かって内部空間部４Ａを滴下したり、もしくは、集水部本体５４ａの端面５４ｄを伝って下方向に移動する。下方向に移動した液体は、鉛直方向視において上方向側端部境界Ｒｕと重なる案内壁５４ｂ、５４ｃの上方向側の端面５４ｅ、５４ｆに付着する。案内壁５４ｂに滴下した液体は、端面５４ｅにおいて、自重により案内壁５４ｂの傾斜に沿って下方向側に集められ、水路部５５に向かって案内される（矢印Ｓ１）。案内壁５４ｃに滴下した液体は、端面５４ｆにおいて、自重により案内壁５４ｃの傾斜に沿って下方向側に集められ、水路部５５に向かって案内される（矢印Ｓ２）。案内壁５４ｂおよび案内壁５４ｃから水路部５５に案内された液体は、水路部５５において、水路部５５を構成するリブ本体部５３ａの端面５３ｄ、水路壁５３ｂ、５３ｃの対向面５３ｅ、５３ｆのいずれかの面を下方向側に移動し、下方向に向かって案内される（矢印Ｓ３）。また、鉛直方向視において、上方向側端部境界Ｒｕのうち、下方向側に水路部５５が配置されている位置から内部空間部４Ａに液体が浸入した場合についても、水路部５５を下方向に向かって案内されることとなる（矢印Ｓ３）。
【００３３】
水路部５５を下方向に向かって案内された液体は、図４に示すように、水路部５５の下方向側の端部に到達する。下方向側の端部に到達した液体は、リブ本体部５３ａの端面５３ｄ、水路壁５３ｂ、５３ｃの対向面５３ｅ、５３ｆのいずれかの面の下方向側端部から、カバー２の下方向側端部に位置する外周壁２２の内周面２３に移動する。内周面２３に到達した液体は、到達する液体の量が増えることなどにより、下方向側端部境界Ｒｄに流れこむ（矢印Ｓ４）。下方向側端部境界Ｒｄに流れこんだ液体は、下方向側端部境界Ｒｄにおいて筐体本体５の外周壁５２の外周面を伝い、筐体本体５の外周壁５２の外周面と、カバー２の外周壁２２の内周面の隙間から、筐体４の外部、すなわち電気接続箱１の外部に排出されることとなる（矢印Ｓ５）。
【００３４】
以上のように、実施形態１に係る電気接続箱１は、上方向側端部境界Ｒｕから内部空間部４Ａに浸入した液体を案内壁５４ｂ、５４ｃが受け止め、案内壁５４ｂ、５４ｃの傾斜に沿って水路部５５へと案内する。水路部５５に案内された液体は、水路部５５によって鉛直下方向に案内され、水路部５５下方向側の端部に到達し、下方向側端部境界Ｒｄから電気接続箱１の外部に排出されることとなる。案内壁５４ｂ、５４ｃは、集水部本体５４ａの端面５４ｄ上に、鉛直方向視において上方向側端部境界Ｒｕと重なる位置に形成されている。したがって、上方向側端部境界Ｒｕから内部空間部４Ａに浸入した液体は、自重により下方向に向かって移動した後、案内壁５４ｂ、５４ｃの端面５４ｅ、５４ｆと接触し、かつ案内壁５４ｂ、５４ｃによって集められ、水路部５５に案内されることとなるので、液体が鉛直下方向に向かって内部空間部４Ａを滴下することを抑制することができ、液体が電子部品３を避けるので、上方向側端部境界Ｒｕの下方向側に配置される電子部品３に付着することを抑制することができる。また、液体は、閉塞方向視において、電子部品ブロック３００Ａ、３００Ｂの間に配置された水路壁５３ｂ、５３ｃを有する水路部５５によって鉛直方向のうち下方向に案内されるので、電子部品３を避けて下方向側端部境界Ｒｄから筐体４の外部に排出することができる。
【００３５】
また、実施形態１に係る電気接続箱１は、閉塞方向視において、リブ５３が第１収容領域４Ａ１と第２収容領域４Ａ２との間、つまり幅方向の中央部に形成されているので、リブ５３が形成されていない場合と比較して、筐体４の剛性を向上させることができる。リブ５３が第１収容領域４Ａ１と第２収容領域４Ａ２との間に形成されていることにより、第１収容領域４Ａ１と第２収容領域４Ａ２にそれぞれ収容された電子部品ブロック３００Ａ、３００Ｂが離間されて配置されることとなるので、電子部品３に対する通電時の熱による影響を抑制することができる。
【００３６】
また、集水部５４および水路部５５は、幅方向視において、筐体４に対しカバー２側、すなわち、電子部品３の本体部３１側に形成され、幅方向視において電子部品３と鉛直方向に沿って同一面上に位置するように、閉塞方向と反対方向側に突出して形成される。つまり、液体の付着によって影響が及ぼされる本体部３１に隣接した位置において、水路壁５３ｂ、５３ｃおよび案内壁５４ｂ、５４ｃが液体を本体部３１に対して防水することとなるので、より確実に、滴下した液体が電子部品３に付着することを抑制することができる。
【００３７】
また、以上で説明したワイヤハーネス１００は、電気接続箱１を備えているので、上方向側端部境界Ｒｕから内部空間部４Ａに浸入した液体は、集水部５４により集められ、水路部５５により下方向に案内されて、筐体４の外部に排出されるので、液体が鉛直下方向に向かって内部空間部４Ａを滴下することを抑制することができ、かつ電子部品３に付着することを抑制することができる。
【００３８】
［実施形態２］
次に、実施形態２に係る電気接続箱およびワイヤハーネスについて説明する。図５は、実施形態２に係る電気接続箱の部分斜視図である。図６は、実施形態２に係る電気接続箱の部分断面図である。図７は、実施形態２に係る電気接続箱の部分断面図である。実施形態２に係る電気接続箱１が実施形態１に係る電気接続箱１と異なる点は、筐体４の形状である。なお、上述した実施形態１と共通する構成、作用、効果については、重複した説明はできるだけ省略する。
【００３９】
実施形態２に係る筐体４は、図５〜図７に示すように、筐体本体５の外周壁５２のうち、上方向側端部外周面５２ａに、遮水部材５６が形成される。遮水部材５６は、上方向側端部外周面５２ａと鉛直方向において対向し、かつ上方向側に形成される。つまり、遮水部材５６によって、筐体４は上方向側の端部が２重壁構造となる。したがって、遮水部材５６は、上方向側端部境界Ｒｕよりも鉛直方向のうち上方向側に配置され、鉛直方向視において、上方向側端部境界Ｒｕと少なくとも一部が重なるように形成される。遮水部材５６の上方向側端面５６ａは、幅方向視において、閉塞方向側端部５６ｂから解放方向側端部５６ｃ、すなわち筐体カバー６側の端部から、カバー２側の端部に向かって、下方側に向かって傾斜する傾斜面である。筐体４は、筐体本体５に集水部５４および水路部５５を備える。
【００４０】
筐体４は、筐体カバー６の上方向側端部において、延在部６４を有する。延在部６４は、筐体カバー６において、遮水部材５６の閉塞方向側から、遮水部材５６よりも上方向側に延在して形成される。実施形態２においては、取付け部６２が延在部６４である。延在部６４は、端部遮水部６４ａを有する。
【００４１】
端部遮水部６４ａは、鉛直方向視において、延在部６４の解放方向側、つまり筐体本体５側の端面から解放方向側に突出し、少なくとも遮水部材５６の閉塞方向側端部５６ｂと重なるように延在して形成される。端部遮水部６４ａは、閉塞方向視において、取付け部６２の上方向側端部から、遮水部材５６の上方向側端面５６ａの幅方向における第１収容領域４Ａ１側の端部に向かって延在する。さらに、上記端部において、鉛直方向のうち下方向に向かって屈曲し、上方向側端面５６ａまで延在して形成される。
【００４２】
次に、実施形態２に係る電気接続箱１に対して、外部から液体がかかった場合、ここでは上方向側の端部にかかった液体の流れについて、図６および図７を用いて説明する。まず、電気接続箱１の上下方向が鉛直方向である場合について、図６を用いて説明する。まず、液体が上方向側から電気接続箱１に向かって滴下する（矢印Ｓ６）。筐体カバー６における取付け部６２の上方向側端部、すなわち延在部６４にかかった液体は、閉塞方向もしくは解放方向に移動する（矢印Ｓ７）。閉塞方向に移動した液体は、取付け部６２の閉塞方向側の端部に到達し、筐体カバー６の外側、すなわち電気接続箱１の外側を下方向に向かって移動する（矢印Ｓ９）。一方、解放方向に移動した液体は、端部遮水部６４ａを解放方向側に移動し（矢印Ｓ７）、端部遮水部６４ａの解放方向側の端部に到達した後、下方向に向かって移動、つまり滴下する（矢印Ｓ６）。端部遮水部６４ａから下方向に向かって移動した液体は、遮水部材５６の上方向側端面５６ａに到達する。そして、上方向側端面５６ａに設けられた傾斜によって、閉塞方向側端部５６ｂから解放方向側端部５６ｃに向かって案内される（矢印Ｓ８）。このとき、直接、遮水部材５６の上方向側端面５６ａにかかった液体も同様に、傾斜によって閉塞方向側端部５６ｂ側から解放方向側端部５６ｃに向かって下方向に移動する（矢印Ｓ８）。解放方向側端部５６ｃに到達した液体は、解放方向側端部５６ｃからカバー２の解放方向側の端面を伝うなどして、カバー２の外側、すなわち電気接続箱１の外側を下方向に向かって移動、つまり滴下する（矢印Ｓ９）。
【００４３】
次に、電気接続箱１の上下方向が鉛直方向に対して角度を有している場合、特に、遮水部材５６の上方向側端面５６ａの傾斜と反対方向に電気接続箱１が傾斜している場合について、図７を用いて説明する。また、上記は、電気接続箱１の傾斜角度が、上方向側端面５６ａの傾斜角度よりも大きく、幅方向視において、電気接続箱１が解放方向側から閉塞方向側に向かって下方向に傾斜している場合とする。まず、液体が上方向側から電気接続箱１に向かって滴下する（矢印Ｓ６）。筐体カバー６における取付け部６２の上方向側端部、すなわち延在部６４および端部遮水部６４ａにかかった液体は、電気接続箱１の傾斜に従って、閉塞方向に移動する（矢印Ｓ７）。閉塞方向に移動した液体は、取付け部６２の閉塞方向側の端部に到達し、筐体カバー６の外側、すなわち電気接続箱１の外側を下方向に向かって移動する（矢印Ｓ９）。一方、遮水部材５６の上方向側端面５６ａに滴下した液体は、電気接続箱１の傾斜に従って、上方向側端面５６ａ上を解放方向側端部５６ｃ側から閉塞方向側端部５６ｂ側に向かって案内される（矢印Ｓ８）。そして、閉塞方向側端部５６ｂに到達した液体は、閉塞方向側端部５６ｂから下方向に移動し（矢印Ｓ８ａ）、筐体カバー６に設けられた傾斜板に向かって移動、すなわち滴下する。上記傾斜板は、筐体カバー６に形成された排出口６５に向かって、下方向に傾斜を有する傾斜板である。傾斜板に滴下した液体は、傾斜板の傾斜により筐体カバー６に形成された排出口６５へと案内され、排出口６５から筐体カバー６の外部、すなわち電気接続箱１の外部に排出される（矢印Ｓ８ｄ）。
【００４４】
ところで、カバー２側に隣接して下方向に滴下した液体（矢印Ｓ９）や、解放方向側端部５６ｃ側近辺に滴下した液体の一部が、遮水部材５６の下方向側の端部と、電気接続箱１の上方向側の端部の隙間に浸入する場合がある（矢印Ｓ８ｂ）。遮水部材５６の下方向側の端部と、電気接続箱１の上方向側の端部の隙間に浸入した液体は、電気接続箱１の傾斜に沿って、電気接続箱１の上方向側の端部の外周面を、下方向に向かって案内される（矢印Ｓ８ｃ）。このとき、液体が上方向側端部境界Ｒｕから内部空間部４Ａに浸入した場合、液体は、実施形態１と同様に、集水部５４および水路部５５によって電気接続箱１の外部に排出される。上方向側端部境界Ｒｕから内部空間部４Ａに浸入しなかった液体は、筐体本体５の上方向側端部外周面５２ａ上を閉塞方向に案内され、閉塞方向側端部５６ｂに到達する。そして、閉塞方向側端部５６ｂに到達した液体は、遮水部材５６の下方向側の端部と、電気接続箱１の上方向側の端部の隙間から、遮水部材５６の外部に排出され、下方向に移動する（矢印Ｓ８ａ）。下方向に移動した液体は、筐体カバー６に設けられた傾斜板に向かって移動し、傾斜板の傾斜により筐体カバー６に形成された排出口６５へと案内され、排出口６５から筐体カバー６の外部、すなわち電気接続箱１の外部に排出される（矢印Ｓ８ｄ）。
【００４５】
以上により、実施形態２に係る電気接続箱１は、筐体本体５の上方向側端部外周面５２ａの上方向側に、鉛直方向視において上方向側端部境界Ｒｕに重なるように、遮水部材５６が形成される。すなわち、上方向側端部境界Ｒｕを遮水部材５６が塞ぐように形成されるので、電気接続箱１にかかった液体が、上方向側端部境界Ｒｕから内部空間部４Ａに浸入することを抑制することができる。また、電気接続箱１にかかった液体が、筐体４の上方向側の端部と遮水部材５６の下方向側の端部との隙間に浸入し、上方向側端部境界Ｒｕから内部空間部４Ａに浸入した場合でも、集水部５４および水路部５５により、液体の滴下を抑制し、電子部品３を避けて、電気接続箱１の外部に排出することができる。
【００４６】
また、遮水部材５６の上方向側端面５６ａが、閉塞方向側端部５６ｂから解放方向側端部５６ｃにおいて下方側に向かって傾斜する傾斜面であるので、上方向側端面５６ａに付着した液体を、より確実に電気接続箱１の外部に案内することができる。
【００４７】
また、実施形態２に係る電気接続箱１は、筐体カバー６の上方向側端部に位置する延在部６４に形成された端部遮水部６４ａが、鉛直方向視において、遮水部材５６の閉塞方向側端部５６ｂと重なり、かつ解放方向側に突出して形成される。したがって、液体が、閉塞方向側端部５６ｂと筐体カバー６との隙間から、遮水部材５６の下方向側の端部と、電気接続箱１の上方向側の端部の隙間に浸入し、上方向側端部境界Ｒｕに到達することを抑制することができる。
【００４８】
［変形例］
次に、実施形態２に係る電気接続箱１の変形例について説明する。図８は、変形例に係る電気接続箱の部分斜視図である。変形例に係る電気接続箱１が実施形態２に係る電気接続箱１と異なる点は、遮水部材が別部材として筐体本体５に取り付けられる点である。
【００４９】
変形例に係る電気接続箱１は、遮水部材７を備える。遮水部材７は、図８に示すように、筐体本体５の外周壁５２のうち、上方向側端部外周面５２ａに形成された不図示の取り付け機構などにより、上方向側端部外周面５２ａに着脱自在に取り付けられる。なお、電気接続箱１は、遮水部材７を上方向側端部外周面５２ａに取り付けられた状態においても、カバー２を着脱することが可能である。遮水部材７は、上方向側端部外周面５２ａと鉛直方向において対向し、かつ上方向側に形成される。したがって、遮水部材７は、実施形態２の遮水部材５６と同様に、上方向側端部境界Ｒｕよりも鉛直方向のうち上方向側に配置され、鉛直方向視において、上方向側端部境界Ｒｕと少なくとも一部が重なるように配置される。遮水部材７の上方向側端面７１は、幅方向視において、閉塞方向側端部から解放方向側端部、すなわち筐体カバー６側の端部から、カバー２側の端部に向かって、下方側に向かって傾斜する傾斜面である。
【００５０】
以上により、変形例に係る電気接続箱１は、上方向側端部境界Ｒｕを遮水部材７が塞ぐように形成されるので、電気接続箱１にかかった液体が、上方向側端部境界Ｒｕから内部空間部４Ａに浸入することを抑制することができる。また、電気接続箱１にかかった液体が、筐体４の上方向側の端部と遮水部材７の下方向側の端部との隙間に浸入し、上方向側端部境界Ｒｕから内部空間部４Ａに浸入した場合でも、集水部５４および水路部５５により、液体の滴下を抑制し、電子部品３を避けて、電気接続箱１の外部に排出することができる。また、遮水部材７の上方向側端面７１が、閉塞方向側端部から解放方向側端部において下方向側に向かって傾斜する傾斜面であるので、上方向側端面７１に付着した液体を、より確実に電気接続箱１の外部に案内することができる。
【００５１】
実施形態１における電気接続箱１は、水路壁５３ｂ、５３ｃが幅方向視において、内部空間部４Ａに収容した電子部品３と鉛直方向に沿って同一面上に位置するように解放方向側に延在して形成されるとしたが、これに限らず、電子部品３よりも解放方向側に突出するように延在して形成されていてもよい。すなわち、水路壁５３ｂ、５３ｃは、幅方向視において、内部空間部４Ａに収容された電子部品３と、少なくとも鉛直方向に沿って同一面上か、それよりも解放方向側に突出されていればよい。
【００５２】
実施形態２における電気接続箱１は、遮水部材５６および延在部６４および端部遮水部６４ａを有する構造としたが、延在部６４が要求されていない場合は、遮水部材５６だけを有する構造であってもよい。例えば、電気接続箱１を設置対象物に設置した際、電気接続箱１の上方向に車体側の別部材が位置することなどにより、液体が鉛直方向視において端部遮水部６４ａが形成されている位置よりも解放方向側に付着する場合など、必要に応じて遮水部材５６のみ、もしくは延在部６４および端部遮水部６４ａを備えるかを、選択することができる。
【符号の説明】
【００５３】
１  電気接続箱
２  カバー
３  電子部品
３０  電子部品ケース
４  筐体
４Ａ  内部空間部
４Ａ１  第１収容領域
４Ａ２  第２収容領域
５  筐体本体
５２  外周壁
５２ａ  上方向側端部外周面
５３  リブ
５３ａ  リブ本体部
５３ｂ、５３ｃ  水路壁
５３ｄ  端面
５３ｅ、５３ｆ  対向面
５４  集水部
５４ａ  集水部本体
５４ｂ、５４ｃ  案内壁
５４ｄ  端面
５４ｅ、５４ｆ  端面
５５  水路部
５６  遮水部材
５６ａ  上方向側端面
５６ｂ  閉塞方向側端部
５６ｃ  解放方向側端部
６  筐体カバー
６４  延在部
６４ａ  端部遮水部
７  遮水部材
３００  電子部品ブロック
Ｒ  境界
Ｒｕ  上方向側端部境界
Ｒｄ  下方向側端部境界
【図１】
2018064352.tif 000003
【図２】
2018064352.tif 000004
【図３】
2018064352.tif 000005
【図４】
2018064352.tif 000006
【図５】
2018064352.tif 000007
【図６】
2018064352.tif 000008
【図７】
2018064352.tif 000009
【図８】
2018064352.tif 000010